Podtech/llm-jp-corpus-v4-ja_patent huggingface dataset:
(57)【要約】【課題】しなやかさ、伸縮性、通気性、透湿度は勿論のこと、布袋への羽毛の吹き込み作業性のよい羽毛抜け防止キルト構成体を提供する。【解決手段】厚さ１５μｍ〜６０μｍ、通気度５ｃｍ３／ｃｍ２／ｓ以上、透湿度５００ｇ／ｍ２・ｈｒ以下の発泡ポリウレタンフィルムを布袋２とし、この布袋２に羽毛１を吹き込み充填してなるキルト構成体５であり、とりわけ上記発泡ポリウレタンフィルムの厚さを４０〜６０μｍとし、発泡径を１．５〜１０μｍとしたものである。【選択図】図１
2010220993.tif 000002
【特許請求の範囲】
【請求項１】
厚さ１５〜６０μｍ、通気度５ｃｍ３／ｃｍ２／ｓ以上、透湿度５００ｇ／ｍ２・ｈｒ以下の連続気泡の発泡ポリウレタンフィルムを布袋（２）とし、この布袋（２）に羽毛（１）を充填してなる羽毛抜け防止キルト構成体（５）。
【請求項２】
上記連続気泡の発泡ポリウレタンフィルムの厚さを４０〜６０μｍとし、発泡径を１．５〜１０μｍとした請求項１に記載の羽毛抜け防止キルト構成体（５）。
【請求項３】
上記請求項１または２に記載の羽毛抜け防止キルト構成体（５）により縫製された羽毛ふとん。
【請求項４】
上記請求項１または２に記載の羽毛抜け防止キルト構成体（５）により縫製された防寒ジャケット。
【発明の詳細な説明】
【技術分野】
【０００１】  この発明は、しなやかさ、伸縮性、耐久性、通気性、羽毛の吹き込み作業性良好な羽毛抜け防止キルト構成体に関する。
【背景技術】
【０００２】  ダウンジャケットや羽毛ふとんは長期間の使用により、羽毛を包む布袋（以下、単に布袋という）の織り目や縫い目から羽毛が抜け出す問題があり、その対策として羽毛を収容する布袋に織り密度の高い織布、編み密度の高いニットを採用したもの、あるいは表面にポリウレタンなど粘性のある樹脂組成物をコーティングした繊維でもって織製した布帛を採用したもの等が提案されている。
【特許文献１】特開２００５−１６０７１３
【特許文献１】特開２００７−０５６４１４
【０００３】  上記提案により羽毛抜けの防止効果を得ることができたが、布袋のしなやかさが損なわれ肌触りの悪いものとなった。【０００４】  また、布袋を形成する繊維の表面にポリウレタンやポリテトラフルオロエチレン等を塗布するようなことも試みられたが、布袋のしなやかさ・通気性・透湿度を損なうこととなり、通気性が低下することにより羽毛の吹き込み作業性が低下する問題もある。
【発明の開示】
【発明が解決しようとする課題】
【０００５】  上記、従来技術の問題に鑑みこの発明は、しなやかさ、伸縮性、通気性、透湿度は勿論のこと、布袋への羽毛の吹き込み作業性のよい羽毛抜け防止キルト構成体を提供することを課題とする。
【課題を解決するための手段】
【０００６】  上記課題を解決するためにこの発明は、厚さ１５μｍ〜６０μｍ、通気度５ｃｍ３／ｃｍ２／ｓ以上、透湿度５００ｇ／ｍ２・ｈｒ以下の連続気泡の発泡ポリウレタンフィルムを布袋とし、この布袋に羽毛を吹き込み充填してなる構成としたもので、とりわけ上記連続気泡の発泡ポリウレタンフィルムの厚さを４０〜６０μｍとし、発泡径を１．５〜１０μｍとしたものである。【０００７】  さらにまた、上記羽毛抜け防止キルト構成体を羽毛ふとんやダウンジャケットの素材とすることもできる。
【発明の効果】
【０００８】  上記の如く構成するこの発明によれば、第一に連続気泡の発泡ポリウレタンフィルムの通気性が良好なため羽毛の充填作業（とりわけ吹き込み重点において）が容易で偏りなく充填できる。【０００９】  第二に連続気泡の発泡ポリウレタンフィルムのしなやかさ、伸縮性、通気性、透湿性が良好なため着心地が良く、使用時に蒸れることがなく快適な状態を保つことができる。【００１０】  第三に連続気泡の発泡ポリウレタンフィルムの厚さと発泡径を上記のように特定することにより、断面構造が複雑で細かい網の目のような連続気泡を形成することとなって通気性、透湿性が良好でありながら羽毛の抜け出し防止効果が得られることとなった。
【発明を実施するための最良の形態】
【実施例１】
【００１１】  次にこの発明の実施例を、図面を参照しながら説明する。図１において布袋２を構成する連続気泡の発泡ポリウレタンフィルムはＤＩＣＣｏｒｐｏｒａｔｉｏｎ製のＸＯＬＴＥＸ・ＰＸ−５５０を採用している。同社のデーターによるとこの発泡ポリウレタンフィルムの諸特性は次の通りである。発泡径は１．５〜１０μｍ（電子顕微鏡×５００による観察）、通気度は５〜８ｃｍ３／ｃｍ２／ｓ、透湿度２００〜４００ｇ／ｍ２・ｈｒである。【００１２】  上記連続気泡の発泡ポリウレタンフィルムを素材として充填（吹き込み）口を残して布袋２とし、この布袋２内に通常の手段で羽毛１を充填、さらに保護布３を重ねて周囲縁をかがり縫いし、羽毛１を布袋２内に万遍に分布させて後キルティング（押さえ縫い）４を施して試作品５とした。【００１３】  なお、羽毛の充填（吹き込み）作業においては、発泡ポリウレタンフィルムの通気性が良好なため布袋２内に羽毛が万遍に重点（吹き込み）され作業性が極めて良好であることを確認した。
【実施例２】
【００１４】  図２に示すものは、図１の試作品と同様にＤＩＣＣｏｒｐｏｒａｔｉｏｎ製のＸＯＬＴＥＸ・ＰＸ−５５０の連続気泡の発泡ポリウレタンフィルムでもって吹き込み口を残して布袋２を縫製し、この布袋２に通常の手法でもって羽毛１を重点（吹き込み）し、その後、片面にのみ保護布３を重ねて周囲縁をかがり縫いし、羽毛１を布袋２内に万遍に分布させて後キルティング（押さえ縫い）４を施し、さらに保護布３ａを縫い付けて試作品５ａとした。
【実施例３】
【００１５】  図３は、図１のキルト構成体５でもって防寒ジャケットＪを試作したものである。このジャケットＪを試着して着心地、蒸れ具合、羽毛抜け発生状態を確認したところ何れも良好な評価を得た。【００１６】  なお、図２に示すキルト構成体でもジャケットに縫製することができ、また、図１、図２のキルト構成体で羽毛ふとんを製作できることは言うまでもない。
【産業上の利用可能性】
【００１７】  以上説明した如くこの発明によれば、織り密度あるいは編み密度の高い布帛を用いることなく羽毛の抜けを完全に防止することが可能になり、布袋に用いる連続気泡の発泡ポリウレタンフィルムはしなやかさ、伸縮性、通気性、透湿性が良好で着心地がよく、布袋への羽毛の充填（吹き込み）作業性もよくなって産業上の利用価値が極めて高いものであ。
【図面の簡単な説明】
【００１８】
【図１】実施例１に係るキルト構成体の一部切り剥ぎ斜視図
【図２】実施例２に係るキルト構成体の一部切り剥ぎ斜視図
【図３】本発明に係るキルト構成体で製作した防寒ジャケットの斜視図
【符号の説明】
【００１９】  １：羽毛
２：布袋
３，３ａ：保護布
４：キルティング（押さえ縫い）
５，５ａ：キルト構成体
【図１】
2010220993.tif 000003
【図２】
2010220993.tif 000004
【図３】
2010220993.tif 000005
(57)【要約】【課題】簡易式の入浴用バスで、持運び可能な軽量素材で構成され、コンパクトタイプである。また、少量の湯量で入浴可能な、省エネ、省コストタイプであること。【解決手段】合成樹脂及びゴム等で構成した本体に、空気を充填して浮袋式にした内部に、適温で、少量の湯を注入して入浴する、一人用の省エネ、省コストの簡易コンパクトバスである。【選択図】図５
2010220994.tif 000002
【特許請求の範囲】
【請求項１】
合成樹脂及びゴム等の素材で構成した本体に、空気を充填して浮袋式にした内部に、適温の湯を注入して入浴する、一人用の省エネ、省コストの簡易コンパクトバスである。
【発明の詳細な説明】
【技術分野】
【０００１】本発明は、屋外及び、屋内（浴室）等で少量の湯量で、簡易的に入浴する為の、簡易コンパクトバスに関するものである。
【背景技術】
【０００２】ゴム等の素材で構成した寝袋形で、中央にチャックを設けた寝ながら入浴する介護用の移動式簡易バスがある（特許文献１参照）
【特許文献１】実用新案出願２００２−５３１８  登録実用新案第３０９２１０６号
【発明の概要】
【発明が解決しようとする課題】
【０００３】しかしながらこの方式では、給湯方法が実用的でなく、本体の構造に漏水がおきやすい難点がある
【発明が解決するための手段】
【０００４】合成樹脂及びゴム等の素材で構成した本体に、空気を充填して浮袋式にした内部に、適温の湯を注入して入浴する、一人用の簡易コンパクトバスである。
【発明の効果】
【０００５】本発明は、合成樹脂及びゴム等の素材で構成した浮袋式の簡易バスで、持運びが容易で、少量の湯量で入浴できる為、一般家庭でも使用できる省エネ形である。また、災害時の入浴用にも提供できるものである。
【図面の簡単な説明】
【０００６】
【図１】本件発明の概略図
【図２】同上Ａ〜Ａ，断面図
【図３】同上Ｂ〜Ｂ，断面図
【図４】安定支持金具
【図５】選択図
【図６】実施図
【実施例】
【０００７】合成樹脂及びゴム等の素材で構成した浮袋式の本体（１）に自動または、手動のエアー封入ポンプにて、空気封入口（２）より、空気を充填した後、内部（本体内側）に適温、少量の湯を注入して入浴する。また、安定支持金具（３）で本体のバランスを取り、安定を保つ。本体（１）の底部は、肉厚の素材（４）で構成され、損傷による漏水を防止するものである。
【符号の説明】
【０００８】１  簡易コンタクトバス
２  空気封入口
３  安定支持金具
４  本体底部（肉厚材）
【図１】
2010220994.tif 000003
【図２】
2010220994.tif 000004
【図３】
2010220994.tif 000005
【図４】
2010220994.tif 000006
【図５】
2010220994.tif 000007
【図６】
2010220994.tif 000008
(57)【要約】【課題】  食器は大小数はあるがその目的は食材を入れ一般家庭又は、食事の店などで毎日使用されている。食材の使用によっては食器の使い分けが有り、特に食事の店などでは器の移動の時に重量も有るため、食器の上部に指を掛ける事が多く客にとっては、不衛生に見える、食器内食材に手指先がふれる事はなく安定し、使用できる食器、器を提供する。【解決手段】  食事の目的使用によって、大小形様々な食器が使用されているが、食材によっては重量のある物も多くあるが、移動の時手先、親指などが食材にふれる事もある、その為食器外部、上部中間に複数角型１２を加工取り付ける事により、指先など食材にふれることもなく衛生的にも良く食器内食材に重量があっても食器１２の取付により移動の時指先又、手など熱する事もなく安心して使用でき、衛生的にも解決される。【選択図】図１
2010220995.tif 000002
【特許請求の範囲】
【請求項１】
食事用食器、大小問わず、茶碗、丼類、その他様々な食器の外部、上部、中部に指又は手を掛けれるよう、角型張出を複数、円形に取付た事を特徴とする食器。
【発明の詳細な説明】
【発明の詳細なる説明】
【技術分野】
【０００１】  本発明は、一般使用される食器本体上外部回りに張出指掛けを備えた構造に関する。
【背景技術】
【０００２】  一般的に使用されている食器は、使用目的によって手持ち取手のついている物が、形を問わずそれぞれの方式構造により、提案されている物もある。
【発明が解決しようとする課題】
【０００３】  ところで従来の食器は、食材を入れ移動する時食器により食材に手先、指がさわる場合があり、不衛生であり未だに改良の余地を残している。
【課題を解決するための手段】
【０００４】  まず一般家庭を問わず食器、営業目的とした食事の店には、それぞれの食器が数多く使用されているが食材を入れ移動する時、食器上部回りに親指を掛けお客様に提供するのが多いが、食材に親指が触れる事も多い。一方、お客の方として見れば不衛生で近回りの人々も良い印象はない。食器上部回り一部張出を取り付ける事により、その張出に親指を掛ける事により食器食材を安定して移動することが出来、食材に親指がふれる事もない又、指先が熱くなると事もない。
【作用】
【０００５】  食器の大小問わず、使用食材によって食器の上部回り近くに角形の張出を親指の掛ける大きさに成型し、器の外面上部回り面に取り付ける事が望ましい。
【実施例】
【０００６】  以下添付図面に基づいて本発明の実施例を説明する。図１〜図２は本発明に係わる食器の一例を示すものである。同図に示すように食器は様々な形又大小問わず多くあるが、使い勝手は同様と思われます。図１本体に指掛１２を取り付ける又、１２は大小数は問わない。１２は、親指が滑らないように、角形、角張りのあるように構成してある。又、指掛１２は、食器内の食材重量に対ずれる又、持手が滑らないよう複数取付構成してある張出が大きいと、洗い、収納に困難をきたす場合があるので、最小限の張出とするが、必ず親指その他手が掛けられるような大きさが望ましい。
【発明の効果】
【０００７】  以上説明したように本発明に係わる食器、器によれば食材が入った食器を移動する時、重量問わず安定し食器、食材の移動ができる。又、食材に指先などが入る事無くお客も回りの人々も衛生的に見え、安心して食事を楽しめる事と思われます。
【図面の簡単な説明】
【図１】本発明に係わる食器の一例を示す斜視図である。
【図２】本発明に係わる食器の断面図である
【符号の説明】１１．食器本体。１２．手、指止め。１３．底台。
【図１】
2010220995.tif 000003
【図２】
2010220995.tif 000004
(57)【要約】      （修正有）【課題】ヘアーブラシ等の植毛部分に邪魔されず、ストレスなく簡単に毛髪等を取り除くことができ、粘着性捕集部に付着した毛髪等は水洗いできれいに掃除し、何度でも繰り返し使うことができる毛髪等を取り除く道具を提供する。【解決手段】持ち手１の先に間接軸２を設け、間接軸の先に補助板３を儲け、補助板に水洗い可能な両面粘着性捕集部４を装着する道具を提供する。【選択図】図１
2010220989.tif 000002
【特許請求の範囲】
【請求項１】
持ち手の先に間接軸を設け、間接軸の先に補助板を設け、補助板に水洗い可能な両面粘着性捕集部を装着したことを特徴とするブラシに付着した毛髪等を取り除く道具。
【発明の詳細な説明】
【技術分野】
【０００１】  本発明は、ヘアーブラシやペット用ブラシに付着した毛髪もしくはペットの毛を簡単に取り除く道具に関するものである。
【技術背景】
【０００２】  従来、熊手のような形状をしたものでヘアーブラシに付着した毛髪を挟み込んで取るものがあった。（特許文献１参照）。また、ロール式の粘着テープを利用したものがあった。（特許文献２参照）
【先行技術文献】
【特許文献１】特許２００１−３６１７４７
【特許文献２】特許公開平９−１７３１５３
【発明の概要】
【発明が解決しようとする課題】
【０００３】  そのために、次のような問題点があった。
（イ）実際的にすっきり有効に除去できない。
（ロ）ヘアーブラシの植毛自体を引き抜いてしまう。
（ハ）ヘアーブラシ自体を傷つける可能性もある。
（ニ）ロール式粘着テープを交換する手間が生じる。
（ホ）ロール式粘着テープを交換するためランニングコストが発生する。
（ヘ）構造が複雑であり、故障する危険性がある。
（ト）直感的に操作方法がわからない。
【問題を解決する手段】
【０００４】  持ち手の先に間接軸を設け、間接軸の先に補助板を設置し、補助板に両面粘着テープのような粘着性捕集部を装着する。粘着性捕集部は水洗い可能なものとする。なお、補助板は怪我防止、及びスムーズに毛髪等を取り除くため４つの角に丸みを持たせる。
以上を特徴とする道具である。
【発明の効果】
【０００５】  ヘアーブラシ等の植毛部分に邪魔されず、ストレスなく簡単に毛髪等を取り除くことが可能である。また、粘着性捕集部に付着した毛髪等は水洗いできれいに掃除し、何度でも繰り返し使うことができ常に衛生的に保つことができる。更には、粘着性捕集部を交換する手間を省き、ランニングコストの必要がなく、構造が単純であることから直感的に操作可能で故障する心配がない。
【図面の簡単な説明】
【０００６】
【図１】本発明の斜視図
【図２】本発明の補助板へ粘着性捕集部を装着する時の斜視図
【図３】本発明の側面図
【発明を実施するための形態】
【０００７】  以下、本発明の実施の形態について説明する。
（イ）持ち手（１）の先に間接軸（２）を設け、更に間接軸（２）の先に補助板（３）を設置する。
（ロ）補助板（３）へ両面粘着テープのような粘着性捕集部（４）を装着する。補助板（３）は怪我防止、及びスムーズに毛髪等を取り除くため４つの角に丸みを持たせる。
本発明は以上のような構成で、これを使用するときは、持ち手（１）を握りヘアーブラシ等の植毛部分に補助板（３）へ装着した粘着性捕集部（４）を挿入し毛髪等を付着させる。数回同じ動作を行うのみで簡単に毛髪等を取り除くことが可能である。毛髪等が付着した粘着性捕集部は水洗いで簡単に掃除でき、常に衛生的に保て、何度でも使用できる。
また、本発明はヘアーブラシに限らず、ペット用ブラシへも利用可能であり、ペット用ブラシに付着したペットの毛を簡単に取り除くことも可能である。
【符号の説明】
【０００８】    １  持ち手
２  間接軸
３  補助板
４  粘着性捕集部
【図１】
2010220989.tif 000003
【図２】
2010220989.tif 000004
【図３】
2010220989.tif 000005
(57)【要約】【課題】  高いビル、校舎から、人が落ちた時又、物を落としたとき、落ちた人は大けが、死に至り又、物を落としたとき、下にいた人に当たり、大けが、死に至った。【解決手段】  柱を４本立てる、その柱の上から取っ手１、取っ手２、取っ手３を付けてある、第１の取っ手をロープ１で結び、それに網をかけてある、人の体に当たっても影響しない、重さの物体は、網が破れず、受け止められ、エヤーパックを作動させないためである、第２の取っ手をロープ２で結び、それに電線１を蛇状に付けてある、人、重量物が落下し、電線１を切ると、その電線は、いつも電気が流れる様にしてあるから、断線すると、電気２の回路のスイッチが入り、エヤーパックがの作動し膨らむところの、落下する人、落下物から人を守る受け止め機。【特許請求の範囲】
【請求項１】
雨よけの付いた、柱を四本立てる、その柱の上から取っ手１、取っ手２は柱に取り付けてある又、取っ手３は上下に動けるようにしている、４つある第１の取っ手をロープで結び、それに網をかけてある、４つある第２の取っ手をロープで結び、それに電線１を蛇状に引き、電線１とロープが交わる所はしっかり止めてある、その電線１はバッテリー１につなぎ、いつも電気が流れる様にしてある、４つある第３の取っ手は、柱の中ほどから下に溝を、下まで切ってあり、そこを上下に動けるようにしてある、第３の取っ手は溝の上でスプリングの押す力により、落ちないようにしてある、人、物の落下により下向きの力が働けば、スプリングが縮み、第３の取っ手は落下するようにしてある、４つある第３の取っ手にロープ張られ、そのロープの中にエヤーパックが付けてある、エヤーパックから電線２がバッテリー２につながれている、電線１が断線すると同時に、電気２の回路のスイッチが入りエヤーパックが膨らむところの、落下する人、落下物から人を守る受け止め機。
【発明の詳細な説明】
【発明の開示】
【発明が解決しようとする課題】
【０００１】  従来、高いビル、校舎から、人が落ちた時、下に樹が植えてあるくらいで、受け止めるものが少なかった又、物を落としたとき、下にいた人に当たり大けが、死に至った。【０００２】  本発明は、従来高いビル、校舎から、人が落ちた時又、物を落としたとき、下にいた人に当たり大けが、死に至った問題を解決するものであり、落下する人、落下物から人を守る、受け止め機を実現することを目的とするものである。
【課題を解決するための手段】
【０００３】  雨よけ（１５）の付いた、柱（１）を四本立てる、その柱の上から取っ手１（２）、取っ手２（３）、取っ手３（４）を付けてある。【０００４】  ４つある第１の取っ手（２）をロープ１（５）で結び、それに網（６）をかけてある、人の体に当たっても影響しない、重さの物体は、網（６）が破れず、受け止められ、エヤーパック（７）を作動させないためである。【０００５】  ４つある第２の取っ手（３）をロープ２（８）で結び、それに電線１（９）を蛇状に引き、電線１（９）とロープ２（８）が交わる所はしっかり止めてある、その電線１（９）上に、第１の取っ手（２）の網（６）が破れ、人、重量物が落下し、電線１（９）を切る、その電線１（９）はバッテリー１（１０）につなぎ、いつも電気が流れる様にしてあるから、断線すると、エヤーパック（７）のスイッチが入りエヤーパック（７）が作動する。【０００６】  ４つある第３の取っ手（４）は、柱（１）の中ほどから下に溝を、下まで切ってあり、そこを上下に動けるようにしてある、第３の取っ手（４）は溝の上でスプリング（１１）の押す力により、車（１６）を押し、落ちないようにしてある、人、物の落下により下向きの力が働けば、スプリング（１１）が縮むことにより、車（１６）との間が開き、第３の取っ手（４）は、落下するようにしてある、４つある第３の取っ手（４）にロープ３（１２）張られ、そのロープ３（１２）の中にエヤーパック（７）が付けてある、エヤーパック（７）から電線２（１３）がバッテリー２（１４）につないである、電線１（９）が断線すると同時に、エヤーパック（７）のスイッチが入り膨らむところの、落下する人、落下物から人を守る受け止め機。
【発明の効果】
【０００７】  本発明は、人が誤って転落した時、又重量物が誤って落ちた時、その人を下で受け止め又、重量物が誤って落とした時、重量物から下にいる人を守る、落下する人、落下物から人を守る受け止め機を提供できる。
【図面の簡単な説明】
【０００８】
【図１】  斜視図
【図２】  Ａ−Ａ’の断面図
【図３】  Ｂ−Ｂ’の断面図
【符号の説明】
【０００９】    １    柱
２    第１の取っ手
３    第２の取っ手
４    第３の取っ手
５    ロープ１
６    網
７    エヤーパック
８    ロープ２
９    電線１
１０    バッテリー１
１１    スプリング
１２    ロープ３
１３    電線２
１４    バッテリー２
１５    雨避け
１６    車
【図１】
2010220990.tif 000002
【図２】
2010220990.tif 000003
【図３】
2010220990.tif 000004
(57)【要約】【課題】  本発明は、同一形状の洗濯ハンガーを２個設け、洗濯ハンガーを向かい合わせで使用し、同じ一辺の両端に互いに引き合う方位で磁石を設け、磁石を取り付けた一辺に接する２辺に、各々に吊るすためのフックを設け、一つずつ曲り方向を磁石側にして、中間よりも磁石寄りにフックを設けたことが特徴で、洗濯物を竿干しや部屋干しに簡単に切り換えられる構造の２分割できる洗濯ハンガーを提供する。【解決手段】  同一形状の洗濯ハンガー（１）を２個設け、洗濯ハンガーを向かい合わせで使用し、同じ一辺の両端に互いに引き合う方位で磁石（２）を設け、磁石（２）を取り付けた一辺に接する２辺に、各々に吊るすためのフック（３）を設け、一つずつ曲り方向を磁石側にして、中間よりも磁石寄りにフック（３）を設けたことを特徴とする２分割できる洗濯ハンガー。【選択図】図１
2010220985.tif 000002
【特許請求の範囲】
【請求項１】
（イ）同一形状の洗濯ハンガー（１）を２個設ける。
（ロ）洗濯ハンガーを向かい合わせで使用するので、同じ一辺の両端に互いに引き合う方位で磁石（２）を設ける。
（ハ）磁石（２）を取り付けた一辺に接する２辺に、各々に吊るすためのフック（３）を設け、一つずつ曲り方向を磁石側にして、中間よりも磁石寄りに設ける。
以上のように構成された２分割できる洗濯ハンガー。
【発明の詳細な説明】
【技術分野】
【０００１】  本発明は、同一形状の洗濯ハンガーを２個設け、洗濯ハンガーを向かい合わせで使用し、同じ一辺の両端に互いに引き合う方位で磁石を設け、磁石を取り付けた一辺に接する２辺に、各々に吊るすためのフックを設け、一つずつ曲り方向を磁石側にして、中間よりも磁石寄りにフックを設けたことが特徴で、洗濯物を竿干しや部屋干しに簡単に切り換えられる構造の２分割できる洗濯ハンガーに関するものである。
【背景技術】
【０００２】  従来、洗濯ハンガーのフックは、中心部に１ツあり、それを竿に掛けて洗濯物を干したり、部屋干しのときには、鴨居やドア上部に掛けて干していた。
室内に洗濯物を干す場合、鴨居等四方が空間の場所に限られ、歩く邪魔になるという問題があった。
これを解決するため、室内の壁面、窓ぎわ等に吊るせ、濡れた洗濯物が接触して、壁面やカーテン等がシミになったりすることがあった。
また、乾きにくいといったこともなく、ワンタッチで室内、室外の両方で使えるように工夫した洗濯ハンガーが提案されている。（特許文献１参照）
物干し竿等への吊り掛け及び壁等への吊り掛けの両方の状態において水平な吊り掛けが可能で、しかも構成が簡単である物干し器が提案されている。（特許文献２参照）
【先行技術文献】
【０００３】
【特許文献１】  特開２００１−１４９６９７号公報
【特許文献２】  特開２００７−２３６８４６号公報
【発明の概要】
【発明が解決しようとする課題】
【０００４】  そのため、次のような問題点があった。
（イ）竿干しのとき、強い風が吹くとクルクルと回り他の物に絡んだり、飛ばされたりしていた。
（ロ）部屋干しのとき、鴨居やドア上部にフックを掛けるが、斜めになり不安定で落下することがある。
（ハ）収納するとき、２ツ折りにしたり、重ねたりすると互いのピンチが絡みあい、次に使用するときに、解す手間が掛りイライラしていた。
本発明は以上の問題点を解決しようとするものである。
【課題を解決するための手段】
【０００５】（イ）同一形状の洗濯ハンガー（１）を２個設ける。
（ロ）洗濯ハンガーを向かい合わせで使用するので、同じ一辺の両端に互いに引き合う方位で磁石（２）を設ける。
（ハ）磁石（２）を取り付けた一辺に接する２辺に、各々に吊るすためのフック（３）を設け、一つずつ曲り方向を磁石側にして、中間よりも磁石寄りに設ける。
以上のように構成された２分割できる洗濯ハンガー。
【発明の効果】
【０００６】  本発明は、竿干しの時には、２個の洗濯ハンガーを合体して、４ツのフックにより強い風が吹いても洗濯物が絡むことも、飛ばされることもない。
また、部屋干しの時には合体している２個の洗濯ハンガーを２分割して２ツのフックにより安定し、落下することもない。
収納時には、洗濯ハンガーを２分割して単体で収納ボックス（（７）に入れるので、ピンチ（４）が絡むこともない。
したがって、洗濯物を干すときも、収納するときも便利で使い易い。
【図面の簡単な説明】
【０００７】
【図１】  本発明の斜視図である。（ａ）は、左側の斜視図である。（ｂ）は、右側の斜視図である。
【図２】  本発明のハンガーを竿干し時の使用状態を示した斜視図である。
【図３】  本発明のハンガーを部屋干し時の使用状態を示した斜視図である。
【図４】  本発明のハンガーを収納した状態の斜視図である。
【発明を実施するための形態】
【０００８】  以下、本発明の実施の形態について説明する。
（イ）同一形状の洗濯ハンガー（１）を２個設ける。
（ロ）洗濯ハンガーを向かい合わせで使用するので、同じ一辺の両端に互いに引き合う方位で磁石（２）を設ける。
（ハ）磁石（２）を取り付けた一辺に接する２辺に、各々に吊るすためのフック（３）を設け、一つずつ曲り方向を磁石側にして、中間よりも磁石寄りに設ける。
以上のように構成された２分割できる洗濯ハンガーである。
本発明の使い方を説明する。
本発明は、同一形状の洗濯ハンガー（１）を２個使用し、同じ一辺を向かい合わせに並べ、それぞれの両端に互いに引き合う方位で磁石（２）を取り付ける。
磁石（２）を取り付けた一辺に接する２辺にフック（３）を取り付け、一つずつ曲り方向を磁石側にして、中間よりも磁石寄りに取り付ける。
現在、多く使われている二つ折りの洗濯ハンガーの場合には、ヒンジの部分を取り外し、磁石（２）を取り付ける。
フック（３）は、前述同様に取り付ける。
竿干しの時には、２個の洗濯ハンガー（１）を磁石（２）の力とフック（３）の取り付け位置が偏心しているので戻ろうと働く力を利用し、合体させて竿（５）にフック（３）４ツで吊し、洗濯物を干す。
部屋干しの時には、２分割にしてフック（３）２ツで鴨居・ドア上部（６）に掛けて、洗濯物を干す。
収納する時には、２分割にして収納ボックス（７）にしまう。
と、いう様に用途に会わせて使い分けられる。
【符号の説明】
【０００９】    １  洗濯ハンガー
２  磁石
３  フック
４  ピンチ
５  竿
６  鴨居・ドア上部
７  収納ボックス
【図１】
2010220985.tif 000003
【図２】
2010220985.tif 000004
【図３】
2010220985.tif 000005
【図４】
2010220985.tif 000006
(57)【要約】【課題】通常猫砂トイレで使用される排泄物回収用スコップのすくい部は砂孔状になっており、これを篩いとして使い固化した糞尿と再利用できる余剰砂を選り分けてから廃棄する。しかし、排泄物の固化が不十分であったり小さな排泄物の場合、すくい取った後スコップの砂孔から漏れ落ちてしまうことが多い。また、スコップですくい取った排泄物をトイレ容器から排出用ビニール袋などに回収する際、固化不十分或いは小さな排泄物や篩で落とし切れなかった砂などが砂孔から漏れてトイレ外にこぼれ落ちることが多い。本発明は、排泄物等が漏れたり、こぼれたりせず確実に猫トイレから回収できるスコップを提供する。【解決手段】砂孔状スコップのすくい部分の下側に受け皿を設け、これを握り部から梃子の原理で上下に開閉する機能を備える。【選択図】図１
2010220593.tif 000002
【特許請求の範囲】
【請求項１】
砂孔状スコップのすくい部の下側に受け皿を設け、受け皿の端をスコップ柄の下まで伸ばし爪を付けた受け皿軸受けを設け、スコップ柄の下側にレバーを設け、レバーの根元に、受け皿軸受爪に覆いかぶせる如くレバー爪を設け，レバー作動による梃子の原理で受け皿が上下に開閉する機能を備えたことを特徴とする猫トイレ用スコップである。
【発明の詳細な説明】
【技術分野】
【０００１】  本発明は、猫トイレの糞尿を回収する用具に関するものである。
【背景技術】
【０００３】  通常家猫トイレには、排泄物が固化する砂或いは砂利状の固化剤が使用されている。固化した排泄物をスコップですくい取る際、固化せず再利用可能な余剰砂を篩にかけてトイレに篩い落とすべくスコップのすくい部分が砂孔状になっているのが一般的である。
【発明の概要】
【発明が解決しようとする課題】
【０００４】（イ）  猫の糞が軟質状態で固化しにくい場合や、排尿後間もない尿の如く固化が進んでいない場合など、すくい取ろうとする排泄物が崩れスコップの砂孔から漏れ落ちてしまうことが多い。
（ロ）  糞の欠片など猫の手足の指の間に挟まってトイレの外に持ち出してしまう可能性もある小さなサイズの排泄物などは、すくい取ろうとしても砂孔の隙間から落ちてしまうことが多い。
（ハ）  スコップですくい取った排泄物をトイレ容器から排出用ビニール袋などに回収する際、固化不十分な排泄物或いは篩で落とし切れなかった砂などが砂孔から漏れてトイレ外にこぼれ落ちることが多い。
本発明は、以上の問題点を解決するためになされたものである。
【課題を解決するための手段】
【０００５】  砂孔状スコップのすくい部の下側に受け皿を設ける。  受け皿の端をスコップ柄の下まで伸ばし受け皿軸受けを設け、その先に爪を設ける。スコップ柄の下側にレバーを設け、レバーの根元に受け皿軸受爪に覆いかぶせる如くレバー爪を設ける。
以上の構成による猫トイレ用スコップである。
【発明の効果】
【０００６】（イ）  軟質状態で固化が不十分な糞や、排尿後間もなく固化が進んでいない尿でも、スコップの砂孔から漏れ落ちることなくすくい取ることができる。
（ロ）  すくい取ろうとしても砂孔から漏れ落ちてしまうような小さな糞の欠片等でも確実にすくい取ることができる。  これにより猫がこれらをトイレ内で指に挟んでトイレの外に持ち出すことを予防することができる。
（ハ）  スコップですくい取った排泄物をトイレ容器から排出用ビニール袋などに回収する際、固化不十分な排泄物や小さな糞の欠片、更に篩で落とし切れなかった砂などが砂孔から漏れてトイレ外へこぼれ落ちることを予防できる。
【図面の簡単な説明】
【０００７】
【図１】本発明の斜視図
【図２】受け皿開閉状態を示す斜視図
【発明を実施するための形態】
【０００８】  以下、本発明の実施の形態を説明する。
（イ）砂孔状スコップすくい部（１）の下側に受け皿（３）を設ける。
（ロ）受け皿（３）の端をスコップ柄（２）の下まで伸ばし受け皿軸受（４）を設ける。
（ハ）受け皿軸受（４）からスコップ柄（２）に沿って受け皿軸受爪（５）を設ける。
（ニ）受け皿軸受（４）を貫通する小穴を開け受け皿軸（６）を設ける。
（ホ）スコップ柄（２）の下側にレバー（７）を設ける。
（ヘ）レバー（７）の根元に、受け皿軸受爪（５）に覆い被せる如くレバー爪（８）を設ける。
（ト）レバーを（７）貫通する小穴をあけレバー軸（９）を設ける
本発明は以上のような構造である。
これを実際に使用する時は、
排泄物をすくう時：人差し指（若しくは中指も添え）でレバー（７）を引くと、レバー爪（８）が受け皿軸受爪（５）を押し下げ、これに連動して受け皿（３）が押し上げら砂孔状スコップすくい部（１）を下から覆う状態となる。
この状態で排泄物をすくい取ることにより軟質状態で固化が不十分な糞や、排尿後間もなく固化が進んでいない尿でも、スコップの砂孔から漏れ落ちることなくすくい取ることができる。また、すくい取ろうとしても砂孔から漏れ落ちてしまうような小さな糞の欠片等でも確実にすくい上げることができる。
排泄物と余剰砂を選り分ける時：レバー（７）を放すとレバー爪（８）が開放され、受け皿（３）の自重で自動的に受け皿（３）が下に開く。この状態でスコップの砂孔で篩にかければ固化した排泄物がスコップに残り，余剰砂はトイレに篩い落とされる。
排泄物をトイレ容器からビニール袋などに移し入れる時：  レバー（７）を引き、受け皿（３）が砂孔状スコップすくい部（１）を覆った状態で排泄物をスコップへ移し入れる。これにより、移し入れる途中で、固化不十分な排泄物や小さな糞の欠片、更に篩で落とし切れなかった余剰砂などが砂孔から漏れてトイレ外へこぼれ落ちることを予防できる。
【符号の説明】
【０００８】（１）砂孔スコップすくい部、（２）スコップ柄、（３）受け皿、（４）受け皿軸受、（５）受け皿軸受爪、（６）受け皿軸、（７）レバー、（８）レバー爪、（９）レバー軸
【図１】
2010220593.tif 000003
【図２】
2010220593.tif 000004
(57)【要約】【課題】魚肉を主原料とした加工食品において、同原料中にスープ、牛モツの丸腸を混入させて風味のよい魚肉加工食品及びその製造方法に関するものである。【解決手段】魚肉のすり身をカッターにて攪拌しながらスープを混入し、同すり身中に、スープ、卵白及び味噌を練り込んだ後、醤油等をベースに熱加工処理した牛モツの丸腸を混入し、同すり身を所定の大きさに成形したことを特徴とする。【選択図】なし【特許請求の範囲】
【請求項１】
魚肉のすり身中に、スープ、卵白及び味噌を練り込むとともに、醤油等をベースに熱加工処理した加工肉片を混入したことを特徴とする魚肉加工食品。
【請求項２】
魚肉のすり身をカッターにて攪拌しながらスープを混入し、同すり身中に、スープ、卵白及び味噌を練り込んだ後、醤油等をベースに熱加工処理した加工肉片を混入し、同すり身を所定の大きさに成形したことを特徴とする魚肉加工食品の製造方法。
【請求項３】
加工肉片として、牛モツを利用したことを特徴とする請求項１及び請求項２の魚肉加工食品及びその製造方法
【発明の詳細な説明】
【技術分野】
【０００１】  本発明は魚肉を主原料とした加工食品において、同原料中にスープ、牛モツの丸腸を混入させて風味のよい魚肉加工食品及びその製造方法に関するものである。
【背景技術】
【０００２】  従来、一般で市販されている魚肉加工食品としては、かまぼこ、さつまあげ等があるが、いずれも魚肉を主原料とし、同原料に練り合わせて、所定の大きさの枠に流し込んで成形し、成形したものを焼いたり或いは油で揚げたものであった。
【発明の概要】
【発明が解決しようとする課題】
【０００３】  しかしながら、いずれの商品も魚肉の味を基本としたもので味が単調で、食べるにつれて飽きられていた。【０００４】  本発明は上記の課題を解決することのできる魚肉加工食品及びその製造方法を提供することを目的とする。
【課題を解決する為の手段】
【０００５】  本発明では、魚肉のすり身中に、スープ、卵白及び味噌を練り込むとともに、醤油等をベースに熱加工処理した加工肉片を混入したことを特徴とするものである。
【０００６】  また、本発明では、魚肉のすり身をカッターにて攪拌しながらスープを混入し、同すり身中に、スープ、卵白及び味噌を練り込んだ後、醤油等をベースに熱加工処理した加工肉片を混入し、同すり身を所定の大きさに成形したことを特徴とするものである。
【０００７】    また、本発明では、加工肉片として牛モツを利用したことを特徴とするものである。
【０００８】  上記の課題解決手段による作用は次の通りである。すなわち、加工肉片としての牛モツを、醤油等に煮込んで、牛モツの内側に付着した脂肪をある程度除去する。そして、牛モツ自体に醤油等の味（エキス）が染込んだ状態となり、この加工食品を食する際に、牛モツ内部の醤油等の味成分が流出し、味の変化を楽しむことができる。
【０００９】  また、丸腸を、醤油等に煮込んだ際に、予め、牛モツ自体を多少収縮させることにより、すり身自体を加熱形成した際に、すり身と牛モツとの隙間を無くなり、加工商品をカットした際のカット面を綺麗にするものである。
【発明の効果】
【００１０】  本発明によれば、加工肉片としての牛モツ自体に醤油等の味（エキス）が染込んだ状態となり、この加工食品を食する際に、牛モツ内部の醤油等の味成分が流出し、味の変化を楽しむことができ、飽きられることなく食することできる。また、牛モツ自体を多少収縮させることにより、すり身を加熱処理した際に、牛モツの収縮を防止して、すり身と牛モツとの隙間を無くなり、加工商品をカットした際のカット面を綺麗にすることにより、商品価値を維持することができる。
【発明の実施するための形態】
【００１１】  以下、本発明の形態について詳細に説明する。本発明の実施例では、魚肉として、えそのすり身を使用し、えそのすり身（１ｋｇ）に卵白（１個）、白味噌（２５ｇ）を混入する。その際に、回転カッターを有する攪拌器に入れて、同カッターの回転によって、すり身と、卵白、白味噌とを攪拌混合しながら、鶏がらスープ（４５０ｃｃ）を少量づつ混入する。回転カッターにより、すり身をカットしながら鶏がらスープを練り込み、すり身と鶏がらスープとが分離することなく混合することができる。
【００１２】  次いで、本実施例では、加工肉片として、牛モツの丸腸を使用するもので、丸腸（２００ｇ）を５ｍｍ程度にカットしたものを、鍋に入れて、酒（１５０ｃｃ）、みりん（１５０ｃｃ）、砂糖（大さじ３杯）、醤油（５０ｃｃ）を混入し、強火で５分程度加熱する。その後、たまり（２０ｃｃ）を数回にわけて入れて、丸腸の味を調える。かかる工程では、丸腸の内側に付着した脂肪をある程度除去し、丸腸自体が多少収縮し、すり身との結合を容易に行うことができる。
【００１３】  そして、上記の方法で処理した丸腸を煮汁より分離して取り出し、すり身中に混入し攪拌する。その際に、同すり身中に、塩（少々）、醤油（少々）、みりん（少々）、砂糖（大さじ２杯）を入れて、すり身自体の味を整える。本実施例では、丸腸自体に味付けたことにより、丸腸内部に醤油等の味成分が浸透保持するものである。
【００１４】  上記のすり身は、所定の形成枠内に流し込み成形するものであるが、本実施例では、すり身を流し込んだ形成枠を蒸し器に入れて、２０分〜３５分で、すり身を加熱成形する。さらに、加熱成形したすり身は、所定の大きさにカットし、その表面の焼いたり、油で揚げて食するものである。
【００１５】  本実施例では、加工肉片として、牛モツの丸腸を利用したものであるが、その他の実施例として、牛肉、豚肉、鶏肉、及びこれらの内臓、またはその他の動物肉等を利用することも可能としている。
(57)【要約】【課題】  家猫トイレから排泄物をビニール袋等に回収する際、排泄物がこぼれ落ちたりすることが多く、また袋を持っている手に排泄物が落ちたりして衛生上問題あった。清掃用スコップの収納場所にも困ることが多かった。本発明は、確実且つ衛生的に処理できる用具を猫トイレ用排泄物回収容器を提供する。【解決手段】一辺が逆Ｕ字出っ張りを持つ直線で、残る部分が半円形状等の筒型容器を設け、これに取っ手、複数の回収袋固定クリップ、スコップ収納受け口を設け、つまみ付き蓋を備える。【選択図】図１
2010220594.tif 000002
【特許請求の範囲】
【請求項１】
一辺が逆Ｕ字出っ張りを持つ直線で、残る部分が半円形状等の筒型容器を設け、これに取っ手、複数の回収袋固定クリップ、スコップ収納受け口を設け、つまみ付き蓋を備えたことを特徴とする猫トイレ用排泄物回収用具。
【発明の詳細な説明】
【技術分野】
【０００１】  本発明は、猫トイレから排泄物を回収する用具に関するものである。
【背景技術】
【０００２】  通常家猫トイレから排泄物を回収する際には、清掃用スコップを使用し袋に移し入れて回収するのが一般的である。
【先行技術文献】
【０００３】  実用新案出願２００４−１３７３
【発明の概要】
【発明が解決しようとする課題】
【０００４】（イ）猫トイレから排泄物を回収する際、ビニール袋等回収袋をそのまま片手で持ちながらで使用すると、入れ口が折れまがったり重なったりして不安定なため、排泄物がこぼれ落ちたりすることが多く、また袋を持っている手に排泄物が落ちたりして衛生上問題あった。上記実用新案の如く回収袋を回収容器の淵に沿って枠（ホールダー）で固定する案もあるが、この場合排泄物をトイレから回収容器に移す段階で枠の表面が排泄物の落ちこぼれに晒されることになる。（ロ）清掃用スコップの収納場所に困ることが多かった。上記実用新案の場合も同様だが、固定式のスコップ収納容器の場合収納容器自体の清掃も面倒であった。  本発明は、以上の問題点を解決するためになされたものである。
【課題を解決するための手段】
【０００５】一辺が逆Ｕ字出っ張りを持つ直線で、残る部分が半円形状等の筒型容器を設け、これに取っ手、複数の回収袋固定クリップ、スコップ収納受け口を設け、容器の蓋を備える。以上の構成よりなる猫トイレ用排泄物回収容器。
【発明の効果】
【０００６】（イ）  筒型の回収容器に回収袋を入れ容器の周りに袋の縁が折り返えされ、且つ固定クリップで固定されるため、回収袋を片手で持つ不安定さがなくなり、排泄物取り入れの際の落ちこぼれを防ぐことができる。（ロ）  取っ手が付いていることから、持ち運びに便利で且つ猫トイレの外でも中でも容易に排泄物の回収ができ、且つ排泄物が持ち手にこぼれ落ちたりせず衛生的である。（ハ）  排泄物取り入れ側となる直線部は逆Ｕ時型に外へせり出しており、且つクップで回収袋の縁を内側に折り返すようになっているため、排泄物が回収袋の外側に付着することがなく一層衛生的である。（ニ）  一辺が直線となっていることから、この部分をトイレ箱の一辺に接着せた状態で排泄物の回収を行えば、すき間がなくなり容器を床に置いたままでもこぼすことなく容易に回収することができる。（ホ）  回収が終わった後次回に備えて回収袋を容器に装着すれば次回そのまま使用できる。また、そこに清掃用スコップを入れればスコップ収納容器を兼ね備えることができ且つスコップ収納容器の掃除も不要となることから衛生面からも安全で便利。（ヘ）  容器の蓋を備えることで物が容器内に落ちたりすることを防ぎ衛生的だけでなく、外見もよい。
【図面の簡単な説明】
【０００７】
【図１】本発明の斜視図
【図２】回収箱握り、回収袋装着及び清掃用スコップ収納状況図。
【発明を実施するための形態】
【０００８】以下、本発明の実施の形態を説明する。（イ）一辺が逆Ｕ字出っ張り（１）を持つ直線で、他の部分が半円形状等の筒型容器本体（２）を設ける。（ロ）容器本体（２）の半円形状等の膨らみ部分に縦に取っ手（３）を設ける。（ハ）逆Ｕ字出っ張り（１）の下部に下向き回収袋固定クリップ（４）、取っ手（３）の上部に上向き回収袋固定クリップ（５）を設ける。（ニ）容器の淵周りの一箇所に清掃用スコップ（１０）の収納受け口（６）を設ける。（ホ）つまみ（７）の付いた蓋（８）を設ける。  本発明は以上のような構造である。  本発明の使用する時は、容器本体（２）に回収袋（９）を入れ容器本体（２）の周りに沿って袋の縁を折り返す。その際、片方が角ばっており、もう一方が丸みを帯びた容器であることから、角ばった部分から袋を折り返し、次いで丸みを帯びた方向に袋を引っ張りながら折り返すことで装着が容易となる。回収袋（９）の縁を下向き回収袋固定クリップ（４）と上向き回収袋固定クリップ（５）に差し込む。  取っ手（３）で容器本体（２）を持ち上げ排泄物回収に都合のよいところまで運んで排泄物を回収する。  回収を終わり排出したあと再び回収袋（９）を装着しておけば、次回そのままの状態で使用できるだけなく、その中に清掃用スコップ（１０）を入れ蓋（８）をすることで衛生的に収納できる。
【符号の説明】
【０００９】（１）逆Ｕ字出っ張り、（２）容器本体、（３）取っ手、（４）下向き回収袋固定クリップ、（５）上向き回収袋固定クリップ、（６）清掃用スコップ収納受け口、（７）つまみ、（８）取っ手（９）回収袋（１０）清掃用スコップ
【図１】
2010220594.tif 000003
【図２】
2010220594.tif 000004
(57)【要約】      （修正有）【課題】草花木等の美をよりよく向上させる。【解決手段】デンドロビュームの枝をナイフで切り先端部分上部をもう一度ナイフで切りその上部を下にして水のはったコップに逆さに入れる。その逆さつまり上部分が水につかり今迄の根方の部分が空気中に出てる状態で新芽が出てくる。その根部分と共に新芽と逆さにコップに差した枝部分を分離する。分離した根のついた新芽を新しい水ゴケの入った新しい鉢に植え替えてやる。その新しい新芽は時間が経つうちに成長しその成長する時に下方に、つまり地球の中心部の方に地軸方に地球の引力のある下方に成長させる。【選択図】図５
2010220596.tif 000002
【特許請求の範囲】
【請求項１】
デンドロビュームの枝茎を根方向の下部分を上に地球の引力方向と逆方向の上部分を下にして、水の入ったコップに差し入れ、ある一定期間過ぎた後、出てきた新芽を分離して成長させたデンドロビューム
【発明の詳細な説明】
【技術分野】
【０００１】
【背景技術】
【０００２】
【発明の開示】
【発明が解決しようとする課題】  今までのデンドロビュームは普通地球上にある草、木、花、等の植物と同様に太陽方向上方に伸びていきます。
これらと違う新しいデンドロビュームを育てる為に。
【課題を解決するための手段】  デンドロビュームの枝をナイフで切り先端部分上部をもう一度ナイフで切りその上部を下にして水のはったコップに逆さに入れる。
入れておく、時間が経つ事により、その逆さつまり上部分が水につかり今迄の根方の部分が空気中に出てる状態で新芽が出てくる。
その新芽には根がついていて、その根部分と共に新芽と逆さにコップに差した枝部分を分離する。
分離した根のついた新芽を新しい水ゴケの入った新しい鉢に植え替えてやる。
その新しい新芽は時間が経つうちに成長しその成長する時に下方に、つまり地球の中心部の方に地軸方に地球の引力のある方に成長していく性質があります。
【発明の効果】  今迄のデンドロビュームは鉢の上方に枝を伸ばしていたが、この新しいデンドロビュームは下方に枝を伸ばすので、変わった美しさがでる。
鑑賞する事が出来ます。
【図面の簡単な説明】  ▲ア▼は水をガラスコップに入れた側面図。
▲イ▼はデンドロビュームの枝を逆に水の入ったコップに差し入れた時の断面図。
▲ウ▼はある程度時間が過ぎ去り新しい新芽が出てきた時の側面図。
▲エ▼は新しい新芽を新しい鉢に移し替えた時の断面図。
▲オ▼はデンドロビュームの新芽が成長した時の斜視図。
【符号の説明】  ▲Ａ▼は地球の引力と逆方向にある旧デンドロビュームの上部分。
▲Ｂ▼は旧デンドロビュームの根方向にある下の部分。
▲Ｃ▼は新しく出て来たデンドロビュームの新芽
▲Ｄ▼はコップ
▲Ｅ▼は水
▲Ｆ▼は鉢
▲Ｇ▼は旧デンドロビュームの枝部分
2010220596.tif 000003
2010220596.tif 000004
【手続補正書】
【提出日】平成21年5月25日(2009.5.25)
【手続補正１】
【補正対象書類名】明細書
【補正対象項目名】全文
【補正方法】変更
【補正の内容】
【発明の詳細な説明】
【技術分野】
【０００１】
【背景技術】
【０００２】
【発明の開示】
【発明が解決しようとする課題】  今までのデンドロビュームは普通地球上にある草、木、花、等の植物と同様に太陽方向上方に伸びていきます。
これらと違う新しいデンドロビュームを育てる為に。
【課題を解決するための手段】  デンドロビュームの枝をナイフで切り先端部分上部をもう一度ナイフで切りその上部を下にして水のはったコップに逆さに入れる。
入れておく、時間が経つ事により、その逆さつまり上部分が水につかり今迄の根方の部分が空気中に出てる状態で新芽が出てくる。
その新芽には根がついていて、その根部分と共に新芽と逆さにコップに差した枝部分を分離する。
分離した根のついた新芽を新しい水ゴケの入った新しい鉢に植え替えてやる。
その新しい新芽は時間が経つうちに成長しその成長する時に下方に、つまり地球の中心部の方に地軸方に地球の引力のある方に成長していく性質があります。
【発明の効果】  今迄のデンドロビュームは鉢の上方に枝を伸ばしていたが、この新しいデンドロビュームは下方に枝を伸ばすので、変わった美しさがでる。
鑑賞する事が出来ます。
【図面の簡単な説明】
【０００３】
【図１】水をガラスコップに入れた側面図。
【図２】デンドロビュームの枝を逆に水の入ったコップに差し入れた時の断面図。
【図３】ある程度時間が過ぎ去り新しい新芽が出てきた時の側面図。
【図４】新しい新芽を新しい鉢に移し替えた時の断面図。
【図５】デンドロビュームの新芽が成長した時の斜視図。
【符号の説明】Ａは地球の引力と逆方向にある旧デンドロビュームの上部分。
Ｂは旧デンドロビュームの根方向にある下の部分。
Ｃは新しく出て来たデンドロビュームの新芽
Ｄはコップ
Ｅは水
Ｆは鉢
【手続補正３】
【補正対象書類名】図面
【補正対象項目名】全図
【補正方法】変更
【補正の内容】
【図１】
2010220596.tif 000005
【図２】
2010220596.tif 000006
【図３】
2010220596.tif 000007
【図４】
2010220596.tif 000008
【図５】
2010220596.tif 000009
(57)【要約】      （修正有）【課題】田や畑が無くても作れる作物で、少しの空間を使って作れる食材を自分で自分好みに育成出来るような育成体を提供する。【解決手段】紙、パルプ、圧編した腐葉土など紙状にした台に育成媒体（種子、菌糸、胞子その他）を付着（接着、付着）させて、水、温度を管理しながら育成する。食材としては、もやし、貝割菜であり、その他いろんな食材をこのような方法で容器に入れて水、温度を管理しながら育成展開できる。【選択図】図２
2010220598.tif 000002
【特許請求の範囲】
【請求項１】
紙、パルプ、腐葉土等を圧編したもの、その他水に溶けるものを使用する事。
【請求項２】
種、種子、菌糸、胞子等を上記台紙状のものに接着、あるいは混入したものの生産、販売。
【発明の詳細な説明】
【技術分野】
【０００１】本発明は農産物の育成に関する。
【発明の概要】
近年食料自給率４０％を割るなかで農作物を育成することを根本的に普及できる対策案のひとつとして提案します。
【発明が解決しようとする課題】
田や畑が無くても作れる作物があることを忘れないで  少しの空間を使って作れる食材を自分で自分好みに、育成出来る様に普及したい。
【課題を解決するための手段】
種、種子、菌糸、胞子その他を水あるいは湿度と温度を与えるだけで食材に成る様に加工して店頭で販売できるようにする。
【発明の効果】
現在日本の食糧事情は自給率４０％未満というとても低い状態にあり、物造り日本という様に物をつくり外国にものを輸出して膨らんだ経済であるが、今弱体化した外国にものが売れなくなって、買ってばかりの日本の経済、衰退の道をたどりつつあるのでは、そこで自分で食するものは自分の手で、という事をひとりびとりが考えても良い時がやって来たと思います。
【図面の簡単な説明】写真１を写真２の様な容器に入れて水、温度を管理しながら育成すると写真３、写真４のように育ち、もやし、貝割菜として食材になる。その他いろんな食材をこの様な方法で展開して行ける。
【発明を実施するための形態】
紙、パルプ、圧編した腐葉土など紙状にした台に育成媒体を付着させて、乾燥した状態で育成に必要な資料を添付して販売。
【産業上の利用可能性】コストを抑えることができれば、これを大量に育成して農産物を販売できれば、農産物の輸入を軽減できる。
【図１】
2010220598.tif 000003
【図２】
2010220598.tif 000004
【図３】
2010220598.tif 000005
【図４】
2010220598.tif 000006
【手続補正書】
【提出日】平成21年6月26日(2009.6.26)
【手続補正２】
【補正対象書類名】明細書
【補正対象項目名】全文
【補正方法】変更
【補正の内容】
【発明の詳細な説明】
【技術分野】
【０００１】本発明は農産物の育成に関する。
【発明の概要】
【０００２】近年食料自給率４０％を割るなかで農産物を育成することを根本的に普及できる対策案のひとつとして提案します。
【発明が解決しようとする課題】
【０００３】田や畑が無くても作れる作物があることを忘れないで  少しの空間を使って作れる食材を自分で自分好みに、育成出来る様に普及したい。
【課題を解決するための手段】
【０００４】種、種子、菌糸、胞子その他を水あるいは湿度と温度を与えるだけで食材に成る様に加工して店頭で販売できるようにする。
【発明の効果】
【０００５】現在日本の食糧事情は自給率４０％未満というとても低い状態にあり、物造り日本という様に物をつくり外国にものを輸出して膨らんだ経済であるが、今弱体化した外国にものが売れなくなって、買ってばかりの日本の経済、衰退の道をたどりつつあるのでは、そこで自分の手で、という事をひとりびとりが考えても良い時がやって来たと思います。
【図面の簡単な説明】
【０００６】
【図１】写真１は紙と紙の間に種を接着させてずれないようにした物ですがもっと発展して考える余地がある。
【図２】写真２はその物を容器に入れ水に浸したものです。
【図３】写真３は水と温度を保って３日経ったものです。
【図４】写真４は５日経過したもので、もう十分食材として使えるようになったものです。
【発明を実施するための形態】
【０００７】紙、パルプ、圧編した腐葉土など紙状にした台に育成媒体を付着させて、乾燥した状態で育成に必要な資料を添付して販売。
【産業上の利用可能性】
【０００８】コストを抑えることができれば、これを大量に育成して農産物を販売できれば、農産物の輸入を軽減できる。